(57)【要約】【課題】従来のＬＥＤを用いたつば付帽子装着用ライトは、光の照射範囲が狭く風雨にさらされた状態に置かれると、ヒンジの隙間に埃などが入り込み、角度の調整ができなくなる問題が発生していた。【解決手段】本件発明では、ＬＥＤから発せられる光の照射範囲が広く、角度調節が可能であって、小型のつば付帽子装着用ライトを提供する。また、本件発明のつば付帽子装着用ライトは、ＬＥＤの照射角度を調節するヒンジがＬＥＤ配列壁の外面との間に位置するように配置されているため、風雨に対して丈夫であり故障の発生を抑えることが可能となる。【選択図】  図１
2009179897.tif 000002
【特許請求の範囲】
【請求項１】
扇状に配列した複数のＬＥＤを収納したＬＥＤケースと、
ＬＥＤケースのＬＥＤ配列壁の外面に設けられたヒンジと、
前記ヒンジにて連結される帽子のつばを狭持するためのクリップと、
からなるつば付帽子装着用ライト。
【請求項２】
クリップは帽子の前後方向に曲率を有するつば曲面にならってこれを挟持するために前後二か所でつばを狭持できるようクリップの片側は一か所、他の側は二か所の押圧部を有する請求項１に記載のつば付帽子装着用ライト。
【請求項３】
前記ヒンジは、クリップで帽子のつばを狭持した状態で帽子のつばと、ＬＥＤ配列壁の外面との間に位置するように配置されている請求項１または２に記載のつば付帽子装着用ライト。
【発明の詳細な説明】
【技術分野】
【０００１】
本件発明は、ヘルメットなどの帽子などのつばに取り付けるライトであって、複数のLEDにて使用者の手元を広範囲にわたって光を照射可能なライトに関する。
【背景技術】
【０００２】
従来、夜間や暗所などで道路工事や、建設工事、警備、点検などに、ヘルメットなどの帽子に装着するライトが用いられてきた。このようなライトは、手に持って使用する照明器具とは異なり、両手が自由に使用でき、工事や警備、点検を効率的に行うことが可能であった。しかし、このようなライトは、光源として電球を用いているため、消費電力が大きく、大型のバッテリーを取り付ける必要があった。このため、ライト自体が大きくなり、またライトを帽子やヘルメットの外側に装着するため、狭い場所などではライトが周囲にぶつかるなど、作業に支障をきたす場合があった。
【０００３】
そこで、特許文献１のライトでは、光源をＬＥＤとすることで、消費電力を抑え、ライト本体の大きさを小さく構成し、尚かつライト本体をヘルメットなどの帽子のつばに取り付けることで、狭い場所での作業であっても周囲にぶつかりにくくなるようにしている。
【特許文献１】特開２００５−２６４３８８
【特許文献２】特開２０００−３５５８１７
【特許文献３】特開２００６−１６９６６９
【発明の開示】
【発明が解決しようとする課題】
【０００４】
しかし、特許文献１に示したライトでは、ＬＥＤから発せられる光の指向角が２０°から６０°程度と狭いものが用いられている。このため、複数のＬＥＤを並べて配置しても、ＬＥＤの光が照射される領域は狭くなる。また、特許文献１に示したライトは、ヘルメットなどの帽子に固定されているため、ＬＥＤの光の照射角度を上下に調節することが不可能である。このため、ライト使用時に、光を照射したい方向を変えるには、使用者の頭を動かすことで、方向を変える必要があった。
【０００５】
また、ライトは前述のように工事現場や警備、点検など、風雨にさらされ埃の多い屋外で使用されることが多い。このため、特許文献２や特許文献３に示したように、ライト本体の角度を調整するヒンジが、風雨にさらされた状態に置かれると、ヒンジの隙間に埃などが入り込み、角度の調整ができなくなる問題が発生する。
【課題を解決するための手段】
【０００６】
上記問題に鑑み、本件発明では次のつば付帽子装着用ライトを提供する。すなわち、第一の発明としては、扇状に配列した複数のＬＥＤを収納したＬＥＤケースと、ＬＥＤケースのＬＥＤ配列壁の外面に設けられたヒンジと、このヒンジにて連結される帽子のつばを狭持するためのクリップと、からなるつば付帽子装着用ライトを提供する。
【０００７】
第二の発明としては、クリップは帽子の前後方向に曲率を有するつば曲面にならってこれを挟持するために前後二か所でつばを狭持できるようクリップの片側は一か所、他の側は二か所の押圧部を有する第一の発明に記載のつば付帽子装着用ライトを提供する。
【０００８】
第三の発明としては、前記ヒンジは、クリップで帽子のつばを狭持した状態で帽子のつばと、ＬＥＤ配列壁の外面との間に位置するように配置されている第一の発明または第二の発明に記載のつば付帽子装着用ライトを提供する。
【発明の効果】
【０００９】
本件発明により、ＬＥＤから発せられる光の照射範囲が広く、角度調節が可能であって、小型のつば付帽子装着用ライトを提供する。また、ＬＥＤの照射角度を調節するヒンジがＬＥＤ配列壁の外面との間に位置するように配置されているため、風雨に対して丈夫であり故障の発生を抑えることが可能なつば付帽子装着用ライトを提供する。
【発明を実施するための最良の形態】
【００１０】
以下、本件発明の実施の形態について、添付図面を用いて説明する。なお、本件発明は、これら実施形態に何ら限定されるべきものではなく、その要旨を逸脱しない範囲において、種々なる態様で実施し得る。
【００１１】
実施形態１は、主に請求項１に関する。実施形態２は、主に請求項２などに関する。実施形態３は主に請求項３などに関する。
<実施形態１>
<実施形態１  概要>
【００１２】
本実施形態のつば付帽子装着用ライトは、ＬＥＤを扇状に配列し、ＬＥＤから発せられる光が広範囲に照射され、光の照射角度を上下方向に調節可能としたことを特徴としている。ＬＥＤから発せられる光を広範囲に照射可能とし、照射角度を上下方向に調節可能とすることで、使用者が、頭を動かすことなく、目的の場所に光を照射することが可能となる。
<実施形態１  構成>
【００１３】
図１に本実施形態のつば付帽子装着用ライトの斜視概念図を示した。本実施形態のつば付帽子装着用ライトは、扇状に配列した複数のＬＥＤ（０１０１）を収納したＬＥＤケース（０１０２）と、ＬＥＤケースのＬＥＤ配列壁の外面に設けられたヒンジ（０１０３）と、このヒンジにて連結される帽子のつばを狭持するためのクリップ（０１０４）と、からなるつば付帽子装着用ライトである。
【００１４】
「ＬＥＤケース」には、扇状に配列したＬＥＤが収納されている。図２に本実施形態のつば付帽子装着用ライトの6面図を示した。（ａ）はＬＥＤの光が照射される方向から見たときの正面図であり、（ｂ）は平面図、（ｃ）は背面図、（ｄ）は左側面図、（ｅ）は右側面図、（ｆ）は底面図である。ＬＥＤケース（０２０１）の左側面にはＬＥＤ（０２０２）の点灯と消灯をコントロールするスイッチ（０２０３）が配置されている。ＬＥＤケースの正面は、ＬＥＤから発せられた光が透過するように、透明な樹脂製のカバー（０２０４）が取り付けられている。尚、図中の矢印（０２０５）は、ＬＥＤから発せられた光の照射方向を表している。またＬＥＤケースの底面には、ヒンジ（０２０６）が設けられ、さらにヘルメットなどの帽子のつばに取り付けるためのクリップ（０２０７）が配置されている。また、ＬＥＤケースは、ＬＥＤの配列に沿って、扇形の形状をしている。尚、ＬＥＤケースの形状は、扇形でなくとも良く、長方形や三角形、円形、台形などのＬＥＤケースに扇形に配列した複数のＬＥＤを収納しても良い。また、透明な樹脂製のカバーは、ＬＥＤ配列側に溝をもうけて、ＬＥＤから発せられる光を拡散するように構成してもよい。
【００１５】
ＬＥＤは扇状に配列してＬＥＤケースに収納されている。図３に扇状に配列したＬＥＤを説明するための概念図を示した。破線で示したのは、ＬＥＤケース（０３０１）である。図３は、10個のＬＥＤ（０３０２）を配列したつば付帽子装着用ライトの一例である（ａ）はＬＥＤを平行に並べた例であり、（ｂ）は本実施形態のつば付帽子装着用ライトであり、ＬＥＤを扇状に配列している。一般的に用いられている砲弾型のＬＥＤ等は、ＬＥＤが発する光に指向性がある。このため、（ａ）のように、単に複数のＬＥＤを平行に並べただけでは、光を明るく照射出来る範囲（０３０３）が狭い。（ｂ）のように、ＬＥＤを扇形に配列することで、同じＬＥＤ数であって、尚かつＬＥＤケースの大きさがほぼ同じであっても、広い範囲（０３０４）を照射することが可能となる。尚、本実施形態のつば付帽子装着用ライトでは、ＬＥＤケースの前面から、約５０ｃｍ離れた位置で、左右約５０ｃｍの領域を照らすことが可能となっている。
【００１６】
また、ＬＥＤケースには、ＬＥＤの他、ＬＥＤへの電力の供給を行ったり、ＬＥＤのＯＮまたはＯＦＦを行うためのスイッチなどのための基板が収納されている。また、ＬＥＤ電源となるバッテリーが収納されていても良い。
【００１７】
「ヒンジ」は、ＬＥＤケースのＬＥＤ配列壁の外面に設けられている。図４に本実施形態のつば付帽子装着用ライト（０４０１）をヘルメットなどの帽子のつば（０４０２）に装着した状態で、左側面から見たときの概念図を示した。ＬＥＤケースはＬＥＤ配列壁の外側に設けられたヒンジ（０４０３）とクリップ（０４０４）を介してヘルメットなどの帽子のつばに装着されている。図４に示した本実施形態のつば付帽子装着用ライトは、ヒンジが回転することで、ＬＥＤの配列方向に対して垂直方向（０４０５）に可動する。（ａ）は、つばに対して平行方向に光を照射する状態で、（ｂ）は下方向、（ｃ）は上方方向に照射している状態である。本実施形態のつば付帽子装着用ライトは、複数のＬＥＤが扇状に配列されているため、図３に示したように、ＬＥＤの配列方向へ照射範囲が広いため、平行方向に可動する必要はあまりない。そのため、図４のように、ＬＥＤの配列方向と垂直方向のみに可動するように構成すればよい。しかし、ヒンジを図５のような球体関節とし、上下左右、自由に可動するように構成してもよい。
【００１８】
「クリップ」は、ヒンジに連結され、ヘルメットなどの帽子のつばを狭持して、つば付帽子装着用ライトをヘルメットなどの帽子に固定している。図６に本実施形態のクリップの一例を説明するための斜視図を示した。（ａ）はヘルメットなどのつばを狭持しない状態、（ｂ）にはつばを狭持しようとした時の状態を示している。尚、図６では説明のためクリップ（０６０１）とヒンジ（０６０２）以外を省略して記載している。また、ＬＥＤケースが下方向に配置される方向で記載している。図６に示したクリップでは、ヘルメットなどの帽子のつば（０６０３）は、クリップを構成する部材（０６０４、０６０５）の間に挟み込まれて狭持される。クリップを構成する材料は、樹脂など柔軟性を有する材料を用いており、その弾性力を利用して、つばを狭持している。ヘルメットなどの帽子のつばを狭持する際に、つばを挟みやすくするために、図７のように突起（０７０１）を設けても良い。この突起は、図中下方に押し下げることで、つばが挟み込まれる部材（０７０２、０７０３）の間を広げる。これによりつばを狭持しやすくなる。また、図７に示したクリップは、樹脂の弾性力を用いて狭持するクリップを一例と挙げたが、図１３の（ａ）に示したように、バネなどによって付勢してもよい。
【００１９】
樹脂製のクリップは、樹脂製の帽子（ヘルメットなど）に取り付けた場合、滑ってしまう可能性がある。そこで、あらかじめ帽子のつばに滑り止めのゴムや布などを貼り付けてもよい。このように滑り止めを貼り付け部分に、クリップを取り付けることで、つば付帽子装着用ライトが滑り落ちるのを防ぐことが可能となる。また、滑り止めは、クリップがつばへ接触する部分のクリップ側に貼り付けておいてもよい。
【００２０】
尚、本実施形態のつば付帽子装着用ライトは、図８の（ａ）に示したように、つばに対して上方であっても、（ｂ）のようにつばの下方であっても取り付けることが可能である。特に、狭い場所での作業の場合には、つばの下方に取り付けることで、周囲にぶつかる危険性が低減可能である。また、つばの下方に取り付けた場合、使用者の視界につば付帽子装着用ライトが入り、邪魔になる可能性があるが、本実施形態のつば付帽子装着用ライトは、ＬＥＤを一平面上に扇状に配置しているため、薄型であり、使用者の視界に入りにくい。
【００２１】
また、バッテリーの取り付け位置を利用者の意図によって、（ａ）や（ｂ）に付けかえ可能に構成してもよい。バッテリーの取り付け位置を付けかえ可能に構成することで、例えば、ヘルメットなどの帽子のつば上にバッテリーを取り付けることで、重量の重いバッテリーがクリップの上方からつばのある下方へ押さえつけ、クリップがつばを狭持する力を強くすることが可能である。
【００２２】
また、本実施形態のつば付帽子装着用ライトは、ＬＥＤケースとは別にバッテリーケースを有していても良い。図９にバッテリーケース（０９０１）をＬＥＤケース（０９０２）とは別に有する場合の概念図を示した。バッテリーケースは、図９の（ａ）に示したように、ＬＥＤケースのＬＥＤ配列壁外面のヒンジ（０９０３）が設けられていない面に配置してもいし、（ｂ）のようにクリップ（０９０４）に連結してもよい。また、バッテリーケースが重い場合などは、ＬＥＤケースやヒンジ、クリップと、バッテリーケースを電源供給用の配線（０９０５）を介して別体としてもよい。このとき、バッテリーケースは、図１０に示したように、面ファスナーなどを用いてヘルメットなどの帽子に取り付けたり、使用者のポケットなどに入れておいてもよい。
<実施形態１  効果>
【００２３】
本実施形態のつば付帽子装着用ライトにより、ヘルメットなどの帽子に装着しても、狭い作業スペースであっても邪魔にならず、ＬＥＤの照射範囲が広いつば付帽子装着用ライトを提供することが可能となる。
<実施形態２>
<実施形態２  概要>
【００２４】
一般的に、ヘルメットのつばは平面ではなく曲面で構成されている。このような曲面で構成された帽子などのつばに、つば付帽子装着用ライトを確実に狭持するために、本実施形態のつば付帽子装着用ライトは、クリップの片側に１カ所、他の側は２カ所の押圧部によって狭持することを特徴としている。
<実施形態２  構成>
【００２５】
本実施形態のつば付帽子装着用ライトは、実施形態１のつば付帽子装着用ライトを基本とし、さらに、クリップは帽子の前後方向に曲率を有するつば曲面にならってこれを挟持するために前後二か所でつばを狭持できるようクリップの片側は一か所、他の側は二か所の押圧部を有している。
【００２６】
図１１の（ａ）につば（１１０６）を狭持するためのクリップの片側は一カ所（１１０１）、他の側も一カ所（１１０２）の押圧部を有するつば付帽子装着用ライトの例を、（ｂ）には本実施形態の、つば（１１０７）を狭持するためのクリップの片側は一カ所（１１０３）、他の側は二カ所（１１０４、１１０５）の押圧部を有するつば付帽子装着用ライトの概念図を示した。一般的に帽子のつばは曲面で構成されていることが多い。特にヘルメットなどは、つばの突起部分が小さく、図１１に示したように、ヘルメットの前方に向けて傾斜している形状が一般的である。また、ヘルメットは樹脂からなることが多いため、表面が滑りやすい。このようなつばの場合、（ａ）に示したようなクリップの押圧部が平面で構成されていると、つばとの接触面積が小さく、つば付帽子装着用ライトが、つばから滑り落ちてしまう可能性が高い。そこで、（ｂ）のように、片側に凹凸を設けて押圧部が２カ所となるように構成すると、つばの形状が曲面であっても、確実に狭持することが可能となる。また、つばの表面に凹凸がある場合、押圧部が凹凸と嵌めあって系止することが可能となる。また、図１１に示したクリップは、樹脂の弾性力を用いて狭持するクリップを一例と挙げたが、図１３の（ｂ）に示したように、バネなどによって付勢してもよい。
<実施形態２  効果>
【００２７】
本実施形態のつば付帽子装着用ライトのように、ヘルメットなどの帽子のつばを狭持するクリップの片側に１カ所、他の側は２カ所の押圧部を設けることで、つばの形状が曲面であっても、確実につばを狭持し、つば付帽子装着用ライトが外れないように構成することが可能となる。
<実施形態３>
<実施形態３  概要>
【００２８】
実施形態１から実施形態２に述べたつば付帽子装着用ライトは、ヘルメットなどの帽子に取り付けることを想定している。この中でも特に、ヘルメットは、屋外の工事現場や建設現場などで用いられることが多く、埃や雨などにさらされた過酷な条件下で使用されることが想定される。このため、埃や雨などにさらされた過酷な条件下であっても破損することなく使用可能な性能が要求される。実施形態１から実施形態２で述べたつば付帽子装着用ライトは、ＬＥＤから発せられる光の角度を調節するヒンジが設けられている。このヒンジは、可動部であるため、仮に埃がヒンジの隙間に入り込んだり、雨などが入り込み、ヒンジに使用されている金属が腐食することで、ヒンジの可動を妨げてしまう可能性がある。
【００２９】
そこで、本実施形態のつば付帽子装着用ライトは、実施形態１および実施形態２にさらに、ヒンジがヘルメットなどの帽子のつばとＬＥＤ配列壁の外面との間に配置され、埃や雨が入りにくい構造としたことを特徴としている。
<実施形態３  構成>
【００３０】
本実施形態のつば付帽子装着用ライトは、クリップで帽子のつばを狭持した状態で帽子のつばと、ヒンジがＬＥＤ配列壁の外面との間に位置するように配置されている。
【００３１】
図１２に本実施形態のつば付帽子装着用ライトをヘルメットなどの帽子のつば（１２０１）に装着した状態で左側面から見たときの概念図を示した。（ａ）は、ＬＥＤケースのＬＥＤ配列壁（１２０３）がヘルメットなどの帽子のつばの上方となるように装着した状態で、（ｂ）はＬＥＤケースがつばの下方となるように装着した状態を示している。（ａ）において、例えば雨などが降った場合、図中斜線で示した範囲は、雨があたる。このとき、ヒンジ（１２０４）は、ＬＥＤケースの下方に位置するため、雨が直接当たることはない。また、（ｂ）において、雨などが降った場合、（ａ）と同様に、斜線で示した範囲は雨が当たるが、ヒンジは、クリップ（１２０５）とつばの下方となるため、雨が直接当たることはない。このように、本実施形態のつば付帽子装着用ライトは、ヒンジをクリップおよび帽子のつばとＬＥＤ配列壁の外面との間に位置するように配置しているため、つばの上方または下方のどちらに配置しても、ヒンジが雨に濡れることはなく、埃などが溜まりにくい構造となっている。
<実施形態３  効果>
【００３２】
本実施形態のつば付帽子装着用ライトは、クリップで帽子のつばを狭持した状態で、ヒンジを帽子のつばとＬＥＤ配列壁の外面との間に位置するように配置しているため、つばの上方または下方のどちらに配置しても、ヒンジが雨に濡れることはなく、埃などが溜まりにくく、屋外の使用においても耐久性の高い構造となっている。
【図面の簡単な説明】
【００３３】
【図１】実施形態１のつば付帽子装着用ライトを説明するための斜視概念図
【図２】実施形態１のつば付帽子装着用ライトを説明するための六面図
【図３】実施形態１のつば付帽子装着用ライトのＬＥＤ配置を説明する概念図
【図４】実施形態１のつば付帽子装着用ライトを説明するための側面図
【図５】実施形態１のつば付帽子装着用ライトのヒンジの一例
【図６】実施形態１のつば付帽子装着用ライトを説明するための斜視概念図
【図７】実施形態１のつば付帽子装着用ライトを説明するための斜視概念図
【図８】実施形態１のつば付帽子装着用ライトを説明するための斜視概念図
【図９】実施形態１のつば付帽子装着用ライトを説明するための斜視概念図
【図１０】実施形態１のつば付帽子装着用ライトを説明するための斜視概念図
【図１１】実施形態２のつば付帽子装着用ライトを説明するための側面図
【図１２】実施形態３のつば付帽子装着用ライトを説明するための側面図
【図１３】実施形態１および２のつば付帽子装着用ライトを説明するための側面図
【符号の説明】
【００３４】
０１０１  ＬＥＤ
０１０２  ＬＥＤケース
０１０３  ヒンジ
０１０４  クリップ
【図１】
2009179897.tif 000003
【図２】
2009179897.tif 000004
【図３】
2009179897.tif 000005
【図４】
2009179897.tif 000006
【図５】
2009179897.tif 000007
【図６】
2009179897.tif 000008
【図７】
2009179897.tif 000009
【図８】
2009179897.tif 000010
【図９】
2009179897.tif 000011
【図１０】
2009179897.tif 000012
【図１１】
2009179897.tif 000013
【図１２】
2009179897.tif 000014
【図１３】
2009179897.tif 000015